(57)【要約】【課題】開き扉を開位置に確実に止めて保持する安全性に富み安価で、しかも、簡単に操作できる戸当りを提供する。【解決手段】開位置に止めて保持した開き扉Ｄを閉止するために保持状態を解除する場合は、操作ボタン５０を第１付勢ばね４０に抗して押し下げると、切換手段５５が働いて、ロックピン３５は、床側部材Ａのガイド溝２５の溝幅より幅サイズが大きい先端部３５ａの側面ｔがガイド溝と対向する第１回転位置から、ガイド溝の溝幅より幅サイズが小さい先端部の端面ｒがガイド溝と対向する第２回転位置に回転し、そのまま押し下げてロックピンを第２回転位置に向けた状態で、開き扉を閉方向に回動すれば、先端部がガイド溝を擦り抜けてロック穴２０から外れる構成にする。【選択図】          図１
2014074325.tif 000002
【特許請求の範囲】
【請求項１】
開き扉を開けると、開き扉に付設した扉側部材のロックピンの先端部が、床面に固定した床側部材に有する上り勾配の傾斜部を経て床側部材のロック穴に自重又は弾発力により嵌り込み、開き扉を開位置に止めて保持する戸当りであって、
床側部材は、ロックピンの先端部が納まるロック穴を形成し、該ロック穴から傾斜部を横切る方向にガイド溝を凹設する一方、
扉側部材は、開き扉に固定し、ロックピンを、その先端部がガイド溝を通過できない第１回転位置と通過できる第２回転位置との間を回転可能に収納するガイドケースと、このロックピンの向きを第１回転位置から第２回転位置に切り換える切換手段を備え、
ロックピンは、先端部の形状を、第１回転位置にあるときガイド溝と対向する側面の幅サイズがガイド溝の幅より大きく、第２回転位置にあるときガイド溝と対向する端面の幅サイズがガイド溝の幅より小さい異形に形成してなることを特徴とする、戸当り。
【請求項２】
前記扉側部材は、常時は前記ロックピンを回転付勢して前記第１回転位置に止めて保持する回転付勢ばねを備えることを特徴とする、請求項１に記載の戸当り。
【請求項３】
前記ロック穴は、前記ロックピンの先端部が納まる深さ方向下段の位置決め凹部と、ロックピンの先端部が回転する上段の逃げ凹部とで形成し、該逃げ凹部には、前記先端部を嵌め込んだ前記ロックピンが前記第２回転位置の向きにあるとき、その先端部の一側の前記端面と対向する穴壁に、前記開き扉の開閉方向に勾配になった傾斜面の回転誘導面を形成する一方、
ロックピンは、その先端部の一側の端面に回転誘導面と傾斜角度の異なるテーパ部を設け、そのテーパ部が回転誘導面に当たると、先端部の前記側面が前記ガイド溝と対向する前記第１回転位置に向けて回転してなることを特徴とする、請求項１に記載の戸当り。
【請求項４】
前記切換手段は、操作部材を押し下げ操作して前記ロックピンの向きを前記第１回転位置から前記第２回転位置に切り換えてなることを特徴とする、請求項１、２又は３に記載の戸当り。
【請求項５】
前記切換手段は、操作部材を回転操作して前記ロックピンの向きを前記第１回転位置から前記第２回転位置に切り換えてなることを特徴とする、請求項１、２又は３に記載の戸当り。
【請求項６】
前記ロック穴は、前記逃げ凹部と前記位置決め凹部とを該位置決め凹部からは上り勾配の規制斜面からなる段差を介して連設し、位置決め凹部を、前記ロックピンの先端部の形状に応じて凹形状に穿設してなることを特徴とする、請求項３、４又は５に記載の戸当り。
【請求項７】
前記ロックピンは、その先端部の一側の前記端面と反対側の端面に、前記ロック穴と前記ガイド溝との間に有する角縁に係止する外れ止め凹部を設けてなることを特徴とする、請求項３、４，５又は６に記載の戸当り。
【発明の詳細な説明】
【技術分野】
【０００１】
本発明は、吊元側をヒンジで扉枠の一側縦枠に回動可能に連結して吊り込んだ開き扉を開位置に止めて保持する戸当りに関する。
【背景技術】
【０００２】
従来、この種の戸当りの中には、例えば図２９および図３０に示すように、先端側に係止穴１を開けた磁性体からなる蓋状のストッパ板２を、基端側のヒンジ部１ａにおいて、床面３に固定した基台４に回動自在に連結したストッパ装置Ｍを、床面３側に設置する一方、開き扉５の下部にロック装置Ｎを固定し、ロック装置Ｎの固定ケース６内に、ストッパ板２の上方に位置するとストッパ板２を磁力で吸着する磁石７を取り付けると共に、吸着したストッパ板２の係止穴１に先端が係合するロック位置と係合しない非ロック位置とに上下動可能にロック部材８を保持した構造にしたものがある（特許文献１参照）。
【０００３】
そこで、従来の戸当りは、例えば頻繁に開閉する開き扉５を、一時的に全開にする場合は、図２９（ｂ）に示すように、開き扉側のロック装置Ｎが床側のストッパ装置Ｍの上方に至ると、ストッパ板２を磁力で磁石７に吸着して開き扉５を全開位置に磁気的に止めて保持する。すなわち、開き扉５を磁力に抗して閉方向に回動して磁石７がストッパ板２の位置からずれると、開き扉５が閉じる程度の強さで保持し、開き扉５を仮止めする。一方、全開した開き扉５が突風等の強い外力を受けて激しく閉じるのを防止するときなどは、上述のように磁気的な仮止め状態から、ロック部材８をロック位置へ押し下げて先端部をストッパ板２の係止穴１に係合し、開き扉５を全開位置に機械的にロックする二段ロック構造になっている。一方、ロックを解除するときは、ロック部材８を非ロック位置に引き上げて先端をストッパ板２の係止穴１から外してから、開き扉５を磁力に抗して閉方向に押し回せばよいようになっている。
【先行技術文献】
【特許文献】
【０００４】
【特許文献１】特開２００９−１４４３４０号公報
【発明の概要】
【発明が解決しようとする課題】
【０００５】
ところが、上述した従来の戸当りは、床側のストッパ装置Ｍにおいて、ストッパ板２を繰り返し起伏させるうちに、ヒンジ部１ａに塵や屑やワックス等の異物が詰まり、詰まった異物がストッパ板２の回転の妨げになって磁力ではストッパ板２を吸い上げることができなくなることがあり、そのため、開き扉５を開位置に確実に止めて保持することができないという課題があった。また、場合によっては、ストッパ板２が途中で止まって起立したままになり、その起立したストッパ板２に足などが引っ掛かって怪我をするなど、安全性にも欠けるという課題があった。そこで、開き扉側に備える磁石を大型で強磁性のものに取り替えて対処することも考えられるが、磁石は比較的高価であるため、それではコストが著しく高くなるという課題があった。
【０００６】
そこで、本発明の目的は、開き扉を開位置に確実に止めて保持する安全性に富んだ安価な戸当りを提供することにある。
【課題を解決するための手段】
【０００７】
請求項１に記載の発明は、たとえば以下に示す図示実施の形態のとおり、開き扉Ｄを開けると、開き扉Ｄに付設した扉側部材Ｂのロックピン３５の先端部３５ａが、床面ｆに固定した床側部材Ａに有する上り勾配の傾斜部２１を経て床側部材Ａのロック穴２０に自重又は弾発力により嵌り込み、開き扉Ｄを開位置に止めて保持する戸当りであって、床側部材Ａは、ロックピン３５の先端部３５ａが納まるロック穴２０を形成し、該ロック穴２０から傾斜部２１を横切る方向にガイド溝２５を設ける一方、扉側部材Ｂは、開き扉Ｄに固定し、ロックピン３５を、その先端部３５ａがガイド溝２５を通過できない第１回転位置と通過できる第２回転位置との間を回転可能に収納するガイドケース３０と、このロックピン３５の向きを第１回転位置から第２回転位置に切り換える切換手段５５を備え、ロックピン３５は、先端部３５ａの形状を、第１回転位置にあるときガイド溝２５と対向する側面ｔの幅サイズがガイド溝２５の幅ｄより大きく、第２回転位置にあるときガイド溝２５と対向する端面ｒの幅サイズがガイド溝２５の幅ｄより小さい異形に形成してなることを特徴とする。
【０００８】
請求項２に記載の発明は、請求項１に記載の戸当りにおいて、たとえば以下に示す図示実施の形態のとおり、前記扉側部材Ｂは、常時は前記ロックピン３５を回転付勢して第１回転位置に止めて保持する第２付勢ばね４５のような回転付勢ばねを備えることを特徴とする。
【０００９】
請求項３に記載の発明は、請求項１に記載の戸当りにおいて、たとえば以下に示す実施の形態のとおり、前記ロック穴２０は、前記ロックピン３５の先端部３５ａが納まる深さ方向下段の位置決め凹部２０ａと、ロックピン３５の先端部３５ａが回転する上段の逃げ凹部２０ｂとで形成し、該逃げ凹部２０ｂには、前記先端部３５ａを嵌め込んだ前記ロックピン３５が前記第２回転位置の向きにあるとき、その先端部３５ａの一側の前記端面ｒ１と対向する穴壁に、前記開き扉Ｄの開閉方向Ｘ・Ｙに勾配になった傾斜面の回転誘導面５９を形成する一方、ロックピン３５は、その先端部３５ａの一側の端面ｒ１に回転誘導面５９と傾斜角度の異なるテーパ部８５を設け、そのテーパ部８５が回転誘導面５９に当たると、先端部３５ａの前記側面ｔが前記ガイド溝２５と対向する前記第１回転位置に向けて回転してなることを特徴とする。
【００１０】
請求項４に記載の発明は、請求項１、２又は３に記載の戸当りにおいて、たとえば以下に示す図示実施の形態のとおり、前記切換手段５５は、操作ボタン５０のような操作部材を押し下げ操作して前記ロックピン３５の向きを前記第１回転位置から前記第２回転位置に切り換えてなることを特徴とする。
【００１１】
請求項５に記載の発明は、請求項１、２又は３に記載の戸当りにおいて、たとえば以下に示す実施の形態のとおり、前記切換手段５５は、操作部材を回転操作して前記ロックピン３５の向きを前記第１回転位置から前記第２回転位置に切り換えてなることを特徴とする。
【００１２】
請求項６に記載の発明は、請求項３、４又は５に記載の戸当りにおいて、たとえば以下に示す図示実施の形態のとおり、前記ロック穴２０は、前記逃げ凹部２０ｂと前記位置決め凹部２０ａとを該位置決め凹部２０ａからは上り勾配の規制斜面２０ｃからなる段差を介して連設し、前記位置決め凹部２０ａを、前記ロックピン３５の先端部３５ａの形状に応じて凹形状に穿設してなることを特徴とする。
【００１３】
請求項７に記載の発明は、請求項３、４、５又は６に記載の戸当りにおいて、たとえば以下に示す図示実施の形態のとおり、前記ロックピン３５は、その先端部３５ａの一側の前記端面ｒ１と反対側の端面ｒ２に、前記ロック穴２０と前記ガイド２５溝との間に有する角縁６８に係止する外れ止め凹部６７を設けてなることを特徴とする。
【発明の効果】
【００１４】
請求項１に係る発明によれば、床側の床側部材に塵や屑やワックス等の異物が詰まると障害となる可動物は備えず、しかも、床側部材側の可動物を開き扉側の磁石を利用して作動させて開き扉を開位置に磁気的にロックするものではないため、開き扉を開位置に確実に止めて保持することができ、従って、床側部材側の可動物に足などが引っ掛かって怪我をするなど安全性に欠けることがなく、しかも、比較的高価な磁石が不要なのでコストも著しく低減することができる。
【００１５】
加えて、請求項１に係る発明によれば、ロックピンの先端部をロック穴に嵌め込み、開位置に止めて保持した開き扉を閉めるために保持状態を解除する場合は、切換手段を働かせて、ロックピンを、床側部材のガイド溝の溝幅より幅サイズが大きい先端部の側面がガイド溝と対向する第１回転位置から、ガイド溝の溝幅より幅サイズが小さい先端部の端面がガイド溝と対向する第２回転位置に回転してロックピンを第２回転位置に向けた状態で、開き扉を閉方向に回動すれば、先端部をガイド溝に通して擦り抜けさせてロック穴から外すことができ、そのように簡単な操作により開き扉を開位置に保持した状態を解除することができる。
【００１６】
請求項２に係る発明によれば、ロックピンを常時回転付勢して第１回転位置に保持する回転付勢ばねを備え、開き扉を閉じるために開位置に保持した状態を解除すれば、回転付勢ばねの付勢力によりロックピンは第２回転位置から元の第１回転位置に自動的に復帰する点において、それだけ操作性を向上させることができる。
【００１７】
請求項３に係る発明によれば、ロック穴の逃げ凹部には、先端部を嵌めたロックピンが第２回転位置の向きにあるとき、その先端部の一側の端面と対向する穴壁に、開き扉の開閉方向に勾配になった傾斜面の回転誘導面を形成する一方、ロックピンは、先端部の一側の端面に回転誘導面と傾斜角度の異なるテーパ部を設け、そのテーパ部が回転誘導面に当たると、先端部の側面がガイド溝と対向する第１回転位置に向けて自動的に回転する構成とし、例えば回転付勢ばねを用いてロックピンを第１回転位置に回転付勢して保持する構成ではないので、開き扉を閉じるために開位置に保持した状態を解除するときに、他方で、わざわざロックピンがばね付勢力により元の第１回転位置に戻らないように押えながら操作する必要がなく、その点において、より操作性を上げることができる。
【００１８】
請求項４に係る発明によれば、操作部材を押し下げ操作するだけでロックピンの向きを第１回転位置から第２回転位置に簡単に切り換えることができる。
【００１９】
請求項５に係る発明によれば、操作部材を回転操作するだけでロックピンの向きを第１回転位置から第２回転位置に簡単に切り換えることができる。
【００２０】
請求項６に係る発明によれば、床側部材のロック穴を、ロックピンの先端部の形状に応じて凹形状をなす深さ方向上段の逃げ凹部と下段の位置決め凹部とを位置決め凹部からは上り勾配の規制斜面からなる段差を介して連設した凹形状にするから、ロックピンは、先端部がロック穴に入ると、上段の逃げ凹部から下り勾配の規制斜面を下って下段の位置決め凹部内にスムーズに納まる一方、位置決め凹部からは上り勾配となる規制斜面の段差に囲まれて納まることにより、開き扉をガタ付かせずに開位置に止めて保持することができる。
【００２１】
請求項７に係る発明によれば、ロックピンは、テーパ部がロック穴の回転誘導面に当ったときに、その反動でガイド溝側へ弾むことがあっても、先端部の一側の端面と反対側の端面に有する外れ止め凹部が、ロック穴とガイド溝との間に有する角縁に係止し、これにより、回転誘導面に突き当った弾みでロック穴から外れるのを防止することができる。
【図面の簡単な説明】
【００２２】
【図１】本発明の一例である戸当りの構造を示す縦断面図である。
【図２】本発明の戸当りを適用した扉構造体を全開状態で示す斜視図である。
【図３】床側部材の分解斜視図である。
【図４】（Ａ）床側部材の平面図、（Ｂ）床側部材の線Ｘ−Ｘ断面図である。
【図５】床側部材の組立斜視図である。
【図６】扉側部材の分解斜視図である。
【図７】扉側部材の図５とは向きを変えて示す分解斜視図である。
【図８】操作ボタンと切換手段の分解斜視図である。
【図９】扉側部材の組立斜視図である。
【図１０】扉側部材のロックピンの向きを第１回転位置から第２回転位置に切り換えて元に自動復帰する動作を段階的に示す斜視図である。
【図１１】開き扉を開けて全開位置にロックする場合において、扉側部材の動作を途中まで段階的に示す縦断面図である。
【図１２】動作途中から全開位置にロックするまで扉側部材の動作を段階的に示す縦断面図である。
【図１３】開き扉のロックを解除する場合において、扉側部材の動作を途中まで段階的に示す縦断面図である。
【図１４】動作途中からロックを解除するまで扉側部材の動作を段階的に示す縦断面図である。
【図１５】本発明の他例である戸当りの構造を開き扉を開位置に保持した状態において示す（Ａ）縦断面図（Ｂ）横断面図である。
【図１６】床側部材の分解斜視図である。
【図１７】（Ａ）床側部材の平面図、（Ｂ）床側部材の線Ｂ−Ｂ断面図である。
【図１８】床側部材の組立斜視図である。
【図１９】扉側部材の分解斜視図である。
【図２０】扉側部材の図１９とは向きを変えて示す分解斜視図である。
【図２１】操作ボタンと切換手段の分解斜視図である。
【図２２】扉側部材の組立斜視図である。
【図２３】扉側部材のロックピンの向きを第１回転位置から第２回転位置に操作ボタンの押し下げ操作で切り換える動作を段階的に示す斜視図である。
【図２４】開き扉を開けて開位置に保持する場合において、扉側部材の動作を途中まで段階的に示すそれぞれ縦断面図と横断面図である。
【図２５】テーパ部がロック穴の回転誘導面に当たると、ロックピンが先端部の側面がガイド溝と対向する第１回転位置に回転する動作を段階的に示す斜視図である。
【図２６】テーパ部がロック穴の回転誘導面に当たる動作途中から、外れ止め凹部がガイド溝の角縁に係止するまでの扉側部材の動作を段階的に示すそれぞれ縦断面図と横断面図である。
【図２７】開き扉の開位置に保持した状態を解除する場合において、扉側部材の動作を段階的に示すそれぞれ縦断面図と横断面図である。
【図２８】ロックピンがロック穴に嵌る前にガイド溝を通過できない向きに回転した場合において、扉側部材の動作を段階的に示すそれぞれ縦断面図と横断面図である。
【図２９】従来の戸当りの開き扉を全開位置に仮止めする場合の作動状態を段階的に示す側面図である。
【図３０】従来の戸当りの開き扉を全開位置にロックする場合の作動状態を段階的に示す縦断面図である。
【発明を実施するための形態】
【００２３】
以下、図面を参照しつつ、本発明の実施の形態について説明する。
【００２４】
図１に本発明の一例である戸当りの構造を示し、図２には本発明の戸当りを適用した扉構造体を開き扉全開状態で示す。扉構造体は、床Ｆと、矩形に開口部Ｓを開けた壁Ｗと、左右の縦枠１０ａ・１０ｂと上枠１０ｃからなる矩形な扉枠１０と、一側の縦枠１０ｂに吊元側を上下のピボットヒンジ１１ａ・１１ｂで連結して回動可能に吊り込んだ開き扉Ｄとで構成されている。
【００２５】
図示扉構造体において、本発明の戸当りは、床Ｆ側に設置する床側部材Ａと、開き扉Ｄ側に付設する扉側部材Ｂとで構成する。
【００２６】
床側部材Ａは、図３、図４および図５に示すように、扁平な円盤状の受座１５と、受座１５の化粧カバー１６と、消音パッド１７を備える。
【００２７】
受座１５は、樹脂製で、取付台部１５ａと、取付台部１５ａより一段肉厚な扇形のガイド部１５ｂとからなる。取付台部１５ａは、位置決め用丸穴１３や複数のねじ穴１４を穿設した内周部分と、外周縁から内周部分に向け上り勾配となった環状の外周部分とからなる。ガイド部１５ｂは、扇形の要寄りに矩形凹状に穿設したロック穴２０を設けると共に、座外縁１５ｃから上り勾配の傾斜部２１を設け、傾斜部２１にロック穴２０から横切る方向に溝幅ｄのガイド溝２５を形成する。
【００２８】
ロック穴２０は、深さ方向下段の位置決め凹部２０ａと、上段のガイド溝２５側の逃げ凹部２０ｂとを、位置決め凹部２０ａからは上り勾配の規制斜面２０ｃからなる段差を介して連設した凹み形状になっている。下段の位置決め凹部２０ａは、後述するロックピン３５の先端部３５ａの横断面形状に合わせて凹形状に穿設する。ガイド溝２５は、底面をロック穴２０の逃げ凹部２０ｂの底面と面一に形成し、この底面にパッド取付穴２２を凹設する。
【００２９】
化粧カバー１６は、樹脂製カバーで、受座１５の取付台部１５ａに嵌着できるように、取付台部１５ａの表面形状に対応させて外周縁が勾配になった扁平な形状に成形し、図３に示すように、取付台部１５ａに被せる内面側の中心に位置決め凸部１６ａを突設する。消音パッド１７は、ゴム等の弾性材料によりエ型に成形し、パッド取付穴２２に嵌め込む。
【００３０】
そこで、床側部材Ａは、図１に示すように、開き扉Ｄが全開状態にあるとき扉側部材Ｂの真下となる床面ｆ上の位置に受座１５のロック穴２０を合わせると共に、ガイド溝２５を扉側部材Ｂの回動軌跡上に合わせて、図４（Ｂ）に示すように、床面ｆに受座１５をねじ止めする。それから、受座１５の位置決め用丸穴１３に位置決め凸部１６ａを係合させて化粧カバー１６を取付台部１５ａに嵌着することにより、戸当りの床側部材Ａを組み立てて床面ｆ上に設置する。従って、床側部材Ａのねじ止め箇所を化粧カバー１６で覆うことによって戸当りを含む扉周りの見栄えが悪化するのを抑え、また、外周縁が床面ｆに連なる緩やかな勾配になって床側部材Ａ全体が床面ｆから出っ張らず、歩行や掃除の邪魔にならないように平面的に床Ｆに設置することができる。
【００３１】
一方、扉側部材Ｂは、図６、図７および図８に示すように、開き扉Ｄに取付ピース２９を用いて取り付けるガイドケース３０と、ガイドケース３０に入れ子式に重ねて直線移動可能且つ軸線方向に回転可能に嵌入するロックピン３５と、ロックピン３５を付勢する圧縮コイルばねの第１付勢ばね４０およびねじりコイルばねの第２付勢ばね４５と、ロックピン３５を押し下げ操作する操作ボタン（操作部材）５０と、ロックピン３５の回転位置を切り換える切換手段５５を備えた構成になっている。
【００３２】
ガイドケース３０は、樹脂製で、長さ方向にガイド穴２２が円筒状に貫通するトンネル形の本体筒部２３と、本体筒部２３の背面に沿って設ける取付凹部２４からなる。本体筒部２３は、下端内周にロックピン３５の抜止めリブ２３ａを環状に凸設する一方（図１参照）、下端外周に雌ねじ穴７９を螺設し、上端外周に複数のガイド凸部２３ｂを設ける。ガイド穴２２には、内周面にばね掛けリブ２２ａを深さ方向に形成する。取付凹部２４には、ゲート２４ａで仕切った下側に矩形縦長な取付溝２６を形成する一方、上側にカム連結部２７を設ける。取付溝２６は、向い合う溝側壁に凸条のガイドレール２６ａを長さ方向に形成する。カム連結部２７には、細長いカム連結リブ２７ａをゲート２４ａと平行な横向きに凸設する。ゲート２４ａには、取付ピース２９の係合穴２８が開いている。取付ピース２９は、取付溝２６に合わせて細長矩形状に形成し、厚さ方向にねじ挿通穴を設ける一方、両側部にガイドレール２６ａが係合する案内溝２９ｂを凹設し、図中上端に係合凸部２９ａを突設する。なお、取付ピース２９には、片側側部の下端にねじ受け凹部２９ｃを形成している。
【００３３】
ロックピン３５は、樹脂製で、内部に押え棒３６を挿入する筒穴３２を穿設し、図１でも示すように、床側部材Ａのロック穴２０に係合する図中最も下段の先端部３５ａと、押え棒３６を受け入れる円筒状の中段部３５ｂと、中段部３５ｂより一段太径な円筒状の基端連結部３５ｃとからなる。先端部３５ａは、円筒状の中段部３５ｂおよび基端連結部３５ｃの円筒状に対して中実の異形な厚板状に形成し、側面ｔでの幅サイズが中段部３５ｂの外径と同一で床側部材Ａのガイド溝２５の溝幅ｄより大きく、端面ｒでの幅サイズ（厚さ）がガイド溝２５の溝幅ｄより小さい厚板状に成形してなる。基端連結部３５ｃは、ガイドケース３０のガイド穴２２内を挿通可能に中段部３５ｂより外径を一段大きくして段付きに形成し、中段部３５ｂとの間において、内周側にばね受け段部３４を設ける一方、外周側に抜け止め段部３７を設ける。更に、基端連結部３５ｃは、図６および図７に示すように、外周面に、その一部を薄肉にして段付きとした断面円弧状の連結凹部３３を形成する一方、連結凹部３３と隣接する筒穴３２の穴縁から断面円弧状の連結凸部３１を突設する。
【００３４】
操作ボタン５０は、樹脂製で、図８でも示すように、ガイドケース３０の上端の頭部に冠着できる大きさの同じドーム形に成形し、下部側と背面部側を開放したキャップ状をなす押下部３８と、押下部３８内にあって上部側の押え板３８ａから高さ方向下向きに円筒状に突設した位置決め部３９と、位置決め部３９の内周で押え板３８ａから高さ方向下向きに同心的に突設した取付筒部５０ａ（図１参照）とからなる。押下部３８には、向い合う側板部の高さ方向にガイドケース３０のガイド凸部２３ｂと対応する複数の細長いガイド凹溝３８ｂを設ける一方、押え板３８ａの端縁には切欠き凹部１９を設ける。位置決め部３９は、図中下側の先端を１つ１つが山形の鋸歯で形成している。
【００３５】
切換手段５５は、図６、図７および図８に示すように、全体に略椅子形をなす固定カム６０と、可動側の上部カム６５および下部カム７０を備える。固定カム６０は、樹脂製で、円筒カム部６０ａと、円筒カム部６０ａの図中上端に設ける座部６０ｂと、座部６０ｂを挟んだ上側に円筒状に突設したストッパ部６０ｃと、座部６０ｂの一端に背もたれ状に直角に立設した矩形板状の表示板６０ｄと、下向きに延びる取付片６０ｅとを一体に成形してなる。円筒カム部６０ａは、座部６０ｂ側から高さ方向下向きに細長い案内溝４１を設ける一方、案内溝４１と反対側の側縁に回転止め部４２を形成する。座部６０ｂは、円筒カム部６０ａと連通する挿通穴４３を設け、内周縁には、ガイドケース３０の頭部が係止する段付きの係止リブ４４を、ガイドケース３０に合わせて周縁にＵ形に形成する。ストッパ部６０ｃは、操作ボタン５０の位置決め部３９が嵌合可能な筒径を有している。図示例の表示板６０ｄは、開き扉Ｄのロック状態を表示する表示板で、開き扉Ｄの色彩が例えば薄く淡い場合は濃い黒色で形成するなど、開き扉Ｄに対してコントラストがはっきりした色彩を付すことが望ましい。取付片６０ｅには、ガイドケース３０側のカム連結リブ２７ａに対応させて、カム連結リブ２７ａが係合可能な横に細長い連結細穴４８を設ける。
【００３６】
可動側の上部カム６５は、樹脂製で、中心にねじ挿通穴の貫通した取付筒部４７の図中下側外周に本体カム部４６を重ねて一体に成形してなる。本体カム部４６は、上端外周に操作ボタン５０の位置決め部３９に対応して、先端の１つ１つが山形の鋸歯からなる位置決め部４６ａを形成し、下端外周には、固定カム６０の案内溝４１に対応する縦長なガイドリブ４６ｂを凸設すると共に、ガイドリブ４６ｂと隣接する外周面を一部薄肉にして突当て段部４６ｃを形成する。加えて、上部カム６５は、下端縁にカム凸部６５ａを円弧爪状に突設している。カム凸部６５ａは、湾曲した端縁が傾斜カム面ｍになっている。
【００３７】
下部カム７０は、樹脂製で、円弧板状の本体カム部５１と、本体カム部５１の内壁面５３の中段位置に突設した円板状のばね受台５２を一体に成形する。本体カム部５１は、図中下側半分にロックピン３５側の連結凹部３３の幅に合わせて嵌め合わせ板部５１ａを形成する一方、図中上側半分のカム板部５１ｂには、その片側側縁に上部カム６５の突当て段部４６ｄに対応する回転規制凸部６６を設ける一方、他側側縁の上端に回転止め部７７を上向きに突設する。カム板部５１ｂには、その内壁面５３に上部カム６５のカム凸部６５ａと対応するカム凸部７０ａを設ける。カム凸部７０ａの湾曲した端縁には、傾斜方向が上部カム６５のカム凸部６５ａの傾斜カム面ｍと対称な傾斜カム面ｎが形成されている。ばね受台５２には、上面中心にばね巻き凸部５２ａを立設すると共に、重ね合わせ板部５１ａとの間にロックピン３５の連結凸部３７を嵌め込む規制リブ５２ｂを付設する。
【００３８】
そこで、扉側部材Ｂは、第１付勢ばね４０を巻装した押え棒３６を、ロックピン３５の筒穴３２内に挿入し、連結凸部３７を重ね合わせ板部５１ａと規制リブ５２ｂの間に嵌め込み、連結凹部３３に嵌め合わせ板部５１ａを差し込んで嵌め合わせ、重ね合わせ板部５１ａと規制リブ５２ｂとの間に連結凸部３７を嵌め込むことにより、ロックピン３５に、ばね受台５２との間に第１付勢ばね４０を挟んで下部カム７０を軸線回りに一体に回転可能に連結し、以って、下部組立体を組み立てる。
【００３９】
他方、操作ボタン５０は、位置決め部３９を台座６０ｂ側から固定カム６０の挿通穴４３に嵌め込む一方、上部カム６５は、取付筒部４７を前向きに反対の円筒カム部６０ａ側から固定カム６０の挿通穴４３に嵌め込み、円筒カム部６０ａ内で位置決め部３９・４６ａの鋸歯を噛み合わせて位置決めを行ってから、固定カム６０の案内溝４１に上部カム６５のガイドリブ４６ｂを係合し、表示部６０ｄが操作ボタン５０の背後に重なって立設した状態で、切欠き凹部１９に表示部６０ｄの上端を係着することにより、操作ボタン５０を固定カム６０に連結する。それから、取付筒部４７内に連結ねじ６９を挿入して連結筒部２１にねじ込み、上部カム６５と操作ボタン５０を固定カム６０に対しスライド移動可能に一体的に連結し、以って、上部組立体を組み立てる。
【００４０】
次いで、扉側部材Ｂは、第２付勢ばね４５をばね受台５２のばね巻き凸部５２ａに巻装し、ばね一端を下部カム７０の本体カム部５１に掛け止めて、ガイドケース３０のガイド穴２２にロックピン３５を、先端部３５ａが突出口２２ｂから突出した状態で挿設してから、第２付勢ばね４５のばね他端をガイド穴２２内のばね掛けリブ２２ａに掛け止めて、下部組立体を軸線回りの一方向に回転付勢する一方、その付勢力に抗して下部カム７０のカム凸部７０ａに上部カム６５のカム凸部６５ａを、互いの傾斜カム面ｍ・ｎを衝合させて係合することにより、下部組立体に上部組立体を連結する。そのとき、ガイドケース３０のガイド凸部２３ｂを操作ボタン５０のガイド凹溝３８ｂに係合して操作ボタン５０をガイドケース３０の頭部に被せ、カム連結リブ２７ａを連結細穴４８に嵌め込んで固定カム６０をガイドケース３０に固定する。
【００４１】
すると、扉側部材Ｂは、下部カム７０の回転止め部７７が固定カム６０の回転止め部４２に押し当たり、ロックピン３５を、厚板状の先端部３５ａの側面ｔが固定カム６０の表示板６０ｄと略平行となる第１回転位置に止めて保持する。と同時に、扉側部材Ｂは、ロックピン３５を、第１付勢ばね４０により下部カム７０・上部カム６５・操作ボタン５０と共に図中上方の軸線方向片側に付勢する一方、固定カム６０の案内溝４１に係合した上部カム６５のガイドリブ４６ｂが案内溝４１の奥側溝縁に押し当たる上段位置に止めて保持し、図９に示すように組み立ててなる。
【００４２】
従って、扉側部材Ｂは、操作ボタン５０を第１付勢ばね４０に抗して押し込むと、図１０および図１３を参照して以下に説明するように、切換手段５５が働いて、ロックピン３５の向きを、先端部３５ａの長手な側面ｔが固定カム６０の表示板６０ｄに対して平行な向きになる第１回転位置から、先端部３５ａの短手な端面ｒが直交する向きになる第２回転位置に切り換えるようになっている。
【００４３】
即ち、扉側部材Ｂは、ロックピン３５を、第２付勢ばね４５で付勢して第１回転位置に止めて保持した状態にあるとき、図１０（Ａ）に示すように上段位置にある操作ボタン５０を、図１０（Ｂ）に示すように、第１付勢ばね４０に抗して押し下げると、切換手段５５が始動し、ロックピン３５を第２回転位置に回転して先端部３５ａの向きが９０度切り換わるようになっている。
【００４４】
そこで、ロックピン３５の向きを第１回転位置から第２回転位置に切り換える場合は、操作ボタン５０を、上段位置から、図１０（Ｃ）・図１３（Ｂ）に示すように、押え板３８ａが固定カム６０のストッパ部６０ｃに当たる下段位置までの、予め設定した所定ストロークだけ上部カム６５を押し下げる。すると、上部カム６５は、ガイドリブ４６ｂが係合した固定カム６０の案内溝４１に沿って回転規制状態で下降する一方、回転規制状態の上部カム６５に対し下部カム７０が互いに湾曲した傾斜カム面ｍ・ｎに沿って摺接しながら、軸線回り他方向に回転する。そして、ロックピン３５は、下部カム７０の回転規制凸部６６が上部カム６５の突当て段部４６ｃに当たる、予め設定した所定回転角度まで第２付勢ばね４５に抗して回転し、即ち、先端部３５ａの端面ｒが固定カム６０の表示板６０ｄに対して直交する向きになる第２回転位置まで略９０度回転する。
【００４５】
反対に、扉側部材Ｂは、操作ボタン５０の押し下げを解除すると、上部カム６５はガイドリブ４６ｂが係合した固定カム６０の案内溝４１に沿って回転規制状態で上昇する一方、第２付勢ばね４５の回転付勢力が働き、下部カム７０が回転規制状態の上部カム６５に対し互いに湾曲した傾斜カム面ｍ・ｎに沿って摺接しながら軸線回り一方向に自動的に回転する。そして、ロックピン３５は、下部カム７０の回転止め部７７が固定カム６０の回転止め部４２に押し当たり、先端部３５ａが固定カム６０の表示板６０ｄと平行となる元の第１回転位置に止めて保持する構成になっている。
【００４６】
そこで、扉側部材Ｂは、図２に示すように、開き扉Ｄを全開したとき、ロックピン３５が床側部材Ａのロック穴２０の真上に位置する開き扉Ｄの下部戸先側に、図６および図７に示す取付ピース２９を用いて取り付ける。取付時、取付ピース２９は、係合凸部２９ａを上側に向けて開き扉Ｄの下部戸先側にねじ止めする。扉側部材Ｂは、ガイドケース３０の取付溝２６のガイドレール２６ａを取付ピース２９の係合溝２９ｂに係合して取付溝２６に取付ピース２９を差し込み、係合凸部２９ａをゲート２４ａの係合穴２８に嵌め込んで取付ピース２９に連結する。それから、扉側部材Ｂは、芋ねじ８０を雌ねじ穴７９にねじ込んで取付ピース２９のねじ受け凹部２９ｃに押し込むことにより、取付ピース２９を介して開き扉Ｄに固定する。
【００４７】
さて、本発明の戸当りにおいて、開き扉Ｄを全開した開位置に止めて保持する場合、扉側部材Ｂは、図１１（Ａ）に示すように、開き扉Ｄを開方向に回動してロックピン３５が床側部材Ａの上り勾配になった傾斜部２１に至っても、そのまま開き扉Ｄを押し開く。すると、図１１（Ｂ）に示すように、ロックピン３５が第１付勢ばね４０に抗して押し上がって傾斜部２１を上昇してから、図１１（Ｃ）に示すように登り切ってロック穴２０に至ると、第１付勢ばね４０の下向きの弾発力により、図１２（Ｄ）に示すようにロックピン３５は押し下げられて先端部３５ａがロック穴２０の逃げ凹部２０ｂに落ち込む。それから、ロックピン３５は、先端部３５ａが下り勾配になる規制斜面２０ｃを下って、図１２（Ｅ）に示すように、ロック穴２０の位置決め凹部２０ａに、第１付勢ばね４０のばね性で押えた状態で嵌り込むことにより、開き扉Ｄを開位置に止めて保持する。
【００４８】
本発明の戸当りでは、扉側部材Ｂのロックピン３５が床側部材Ａの傾斜部２１を上昇するとき、ロックピン３５は、ガイド溝２５の溝幅ｄより幅サイズが大きい先端部３５ａの側面ｔがガイド溝２５と対向する第１回転位置に保持するから、その先端部３５ａがガイド溝２５を跨いで傾斜面２１を上昇してロック穴２０の逃げ凹部２０ｂに落ち込む。そのとき、ロックピン３５は、先端部３５ａが逃げ凹部２０ｂの底面に嵌め込んだ消音パッド１７の上に落ち込むため、その都度、煩わしい衝突音の発生を抑えることができる。
【００４９】
本発明の戸当りでは、ロック穴２０を、ロックピン３５の先端部３５ａの横断面形状に合わせた凹形状をなす深さ方向上段の逃げ凹部２０ｂと下段の位置決め凹部２０ａとを位置決め凹部２０ａからは上り勾配の規制斜面２０ｃからなる段差を介して連設した凹形状に形成し、そのロック穴２０の位置決め凹部２０ａにロックピン３５の先端部３５ａを嵌め込むことにより、開き扉Ｄをガタ付かせずに開位置に止めて保持することができる。
【００５０】
しかも、本発明の戸当りでは、開位置に止めた開き扉Ｄに突風等の強い外力が閉方向に向けて加わったりしても、そのとき、ロックピン３５は、ロック穴２０の下段の位置決め凹部２０ａから、図１２（Ｆ）に示すように、第１付勢ばね４０に抗して若干押し上がって上り勾配の規制斜面２０ｃを上昇し、上段の逃げ凹部２０ｂに乗り上がると、穴壁で抜け止めしてロックし、開き扉Ｄをそのまま開位置に確実に止めて保持することができる。
【００５１】
次に、本発明の戸当りにおいて、図１に示すように、ロックピン３５の先端部３５ａをロック穴２０の位置決め凹部２０ａに嵌め込んで開位置に保持した開き扉Ｄを、閉めるために保持状態を解除する場合は、まず、開き扉Ｄを閉方向に回動し、図１３（Ａ）に示すように、ロックピン３５の先端部３５ａを、ロック穴２０の位置決め凹部２０ａから上段の逃げ凹部２０ｂに乗り上げてから、操作ボタン５０を、図１３（Ｂ）に示すように、押え板３８ａが固定カム６０のストッパ部６０ｃに当たる下段位置まで第１付勢ばね４０に抗して押し下げて切換手段５５を始動させる。操作ボタン５０を押し下げると、切換手段５５の上部カム６５が、ガイドリブ４６ｂの係合した固定カム６０の案内溝４１に沿って回転規制状態で下降し、上部カム６５が下降するに従い、下部カム７０が第２付勢ばね４５に抗して互いに係合した傾斜カム面ｍ・ｎに沿って回転する。すると、ロックピン３５は、ロック穴２０の逃げ凹部２０ｂにおいて、ガイド溝２５の溝幅ｄより幅サイズが大きい先端部３５ａの側面ｔがガイド溝２５と対向する第１回転位置から、ガイド溝２５の溝幅ｄより幅サイズが小さい先端部３５ａの端面ｒがガイド溝２５と対向する第２回転位置に回転する。
【００５２】
すると、本発明の戸当りでは、そのまま、操作ボタン５０を下段位置に押し下げ、第２付勢ばね４５に抗してロックピン３５を第２回転位置に向けた状態で、図１３（Ｃ）に示すように、開き扉Ｄを閉方向に回動してロックピン３５の先端部３５ａをガイド溝２５に通して、図１３（Ｄ）に示すように擦り抜けさせてロック穴２０から外すことにより、簡単に開き扉Ｄの開位置での保持状態を解除することがでる。
【００５３】
次いで、開位置に保持状態にあるロックピン３５の保持状態を解除した後に、操作ボタン５０の押し下げを解くと、切換手段５５の上部カム６５がガイドリブ４６ｂが係合した固定カム６０の案内溝４１に沿って回転規制状態で上昇し、上部カム６５の上昇に従い、下部カム７０が互いに係合した傾斜カム面ｍ・ｎに沿って第２付勢ばね４５の回転付勢力により一方向に回転し、ロックピン３５は、第２回転位置から、先端部３５ａの側面ｔがガイド溝２５と対向する元の第１回転位置に自動的に復帰する。
【００５４】
従って、本発明の戸当りによれば、以上のように操作ボタン５０を押す簡単な操作で、開き扉Ｄを開位置に保持したり、その保持状態を解除したりすることができる。
【００５５】
ところで、本発明の以上に示した第１の実施形態では、ロックピン３５を常時回転付勢して第１回転位置に保持する第２付勢ばね（回転付勢ばね）４５を備え、開き扉Ｄを閉じるとき、操作ボタン５０を押し下げて開き扉Ｄを開位置に保持した状態を解除してから、その押し下げを解くと、回転付勢ばね４５の付勢力によりロックピン３５が第２回転位置から元の第１回転位置に自動復帰する点において、それだけ操作性が向上する構成になっている。反面、第１の実施形態では、開き扉Ｄを開位置に保持した状態を解除するとき、操作ボタン５０を下段位置に押し下げた後も、ロックピン３５の先端部３５ａを床側部材Ａのガイド溝２５を擦り抜けてロック穴２０から外れるまでの間、第２付勢ばね４５の回転付勢力によりロックピン３５が回って元の第１回転位置に戻らないように操作ボタン５０を押し続ける操作が必要になる。
【００５６】
そこで、本発明の戸当りは、上述した第１の実施形態に代え、例えば以下に示す第２の実施形態のように構成し、開き扉Ｄを閉じるとき、ロックピン３５が元の第１回転位置に戻らないように操作ボタン５０を押し続けなくても、開き扉Ｄを開位置に保持した状態をより簡単な操作で解除することができる。
【００５７】
そのため、第２の実施形態の戸当りでは、床側部材Ａにおいて、図１６、図１７および図１８に示すようにロック穴２０を構成する。
【００５８】
ロック穴２０は、深さ方向下段の位置決め凹部２０ａを、上段の逃げ凹部２０ｂの内側に重ねて凹設し、位置決め凹部２０ａから上り勾配の平面視で略Ｄ形の規制斜面２０ｃからなる段差を介して連設した凹み形状にする。しかも、下段の位置決め凹部２０ａは、Ｄ形規制斜面２０ｃの直線部分５６がガイド溝２５の幅方向と平行に向いて、且つ逃げ凹部２０ｂのガイド溝２５から離れた奥側に位置するように凹設する。
【００５９】
逃げ凹部２０ｂは、ガイド溝２５の内部開口２５ａと対向する側の穴壁を、ガイド溝２５の長さ方向に勾配になった傾斜面で形成し、全体に平面視が台形状に凹設する。即ち、逃げ凹部２０ｂは、ロックピン３５が先端部３５ａを嵌め込んだ第２回転位置にあるときに、先端部３５の一側の端面ｒ１と対向する側の穴壁に、開き扉Ｄの開閉方向Ｘ・Ｙに勾配の傾斜面からなる回転誘導面５９を形成して平面視が台形状に凹設する。
【００６０】
一方、扉側部材Ｂは、図１９、図２０、図２１および図２２に示すように、開き扉Ｄに取付ピース２９を用いて取り付けるガイドケース３０と、ガイドケース３０に入れ子式に重ねて直線移動可能且つ軸線方向に回転可能に嵌入するロックピン３５と、ロックピン３５を付勢する圧縮コイルばねの付勢ばね５８と、ロックピン３５を押し下げ操作する操作ボタン（操作部材）５０と、ロックピン３５の回転位置を切り換える切換手段５５を備える。
【００６１】
ロックピン３５は、図１５でも示すように、最も下段の先端部３５ａが、側面ｔでの幅サイズが中段部３５ｂの外径と略同一で床側部材Ａのガイド溝２５の溝幅ｄより大きく、端面ｒ１・ｒ２での幅サイズがガイド溝２５の溝幅ｄより小さい厚板状をなし、特に、一側の端面ｒ１にそれがロック穴２５の回転誘導面５９に突き当たると、回転する向きに傾斜したテーパ部８５を形成する。そのため、テーパ部８５は、ロック穴２０の回転誘導面５９のように、ガイド溝２５の長さ方向、即ち、開き扉Ｄの開閉方向Ｘ・Ｙに勾配になった斜面により形成するが、その斜面の傾斜角度を回転誘導面５９とは異なる楔状に形成する。しかも、ロックピン３５は、先端部３５ａの一側の端面ｒ１と反対側の端面ｒ２に、ガイド溝２５の内部開口２５ａに有する角縁６８の形状に対応して、Ｖ状に切り欠いた外れ止め凹部６７を設ける。
【００６２】
そこで、扉側部材Ｂは、付勢ばね５８を巻装した押え棒３６を、ロックピン３５の筒穴３２内に挿入し、連結凸部３７を重ね合わせ板部５１ａと規制リブ５２ａの間に嵌め込み、連結凹部３３に重ね合わせ板部５１ａを差し込んで嵌め合わせ、重ね合わせ板部５１ａと規制リブ５２ａとの間に連結凸部３７を嵌め込んで、ロックピン３５に、ばね受台５２との間に付勢ばね５８を挟んで下部カム７０を一体に回転可能に連結し、以って、下部組立体を組み立てる。
【００６３】
他方、操作ボタン５０は、位置決め部３９を台座６０ｂ側から固定カム６０の挿通穴４３に嵌め込む一方、上部カム６５は、取付筒部４７を前向きに反対の円筒カム部６０ａ側から固定カム６０の挿通穴４３に嵌め込み、円筒カム部６０ａ内で位置決め部３９・４６ａの鋸歯を噛み合わせて、固定カム６０の案内溝４１に上部カム６５のガイドリブ４６ｂを上下一直線上に合わせてから、切欠き凹部１９に表示部６０ｄの上端を係着して操作ボタン５０を固定カム６０に連結する。それから、上部カム６５と操作ボタン５０を固定カム６０に対しスライド移動可能に一体的に連結し、以って、上部組立体を組み立てる。
【００６４】
次いで、扉側部材Ｂは、下部カム７０のカム凸部７０ａに上部カム６５のカム凸部６５ａを、互いの傾斜カム面ｍ・ｎを衝合させて係合し、下部組立体に上部組立体を連結する。そのとき、ガイドケース３０のガイド凸部２３ｂを操作ボタン５０のガイド凹溝３８ｂに係合させて操作ボタン５０をガイドケース３０の頭部に被せ、カム連結リブ２７ａを連結細穴４８に嵌め込んで固定カム６０をガイドケース３０に固定し、図２２に示すように組み立てる。そして、扉側部材Ｂは、開き扉Ｄを全開したとき、ロックピン３５が床側部材Ａのロック穴２０の真上に位置する開き扉Ｄの下部戸先側に、取付ピース２９を用いて取り付ける。
【００６５】
そこで、扉側部材Ｂは、図２３（Ａ）・（Ｂ）および図２７（Ｂ）・（Ｂ´）に示すように、操作ボタン５０を押し下げると、切換手段５５が働き、ロックピン３５を、先端部３５ａの長手な側面ｔが固定カム６０の表示板６０ｄに沿った横向きになる第１回転位置から、先端部３５ａの端面ｒ２が直交した縦向きになる第２回転位置に回転し、先端部３５ａの向きが切り換わる。即ち、ロックピン３５の向きを第１回転位置から第２回転位置に切り換える場合は、操作ボタン５０を、上段位置から押え板３８ａが固定カム６０のストッパ部６０ｃに当たる下段位置までの、予め設定した所定ストロークだけ押し込んで上部カム６５を押し下げる。すると、下降する上部カム６５に対し下部カム７０が互いに湾曲した傾斜カム面ｍ・ｎに沿って摺接しながら、軸線回りに回転する。そして、ロックピン３５は、下部カム７０の回転規制凸部６６が上部カム６５の突当て段部４６ｃに当たる、予め設定した所定回転角度まで回転し、即ち、先端部３５ａの端面ｒ２が固定カム６０の表示板６０ｄに対して直交する縦向きになる第２回転位置まで回転する。
【００６６】
さて、第２の実施形態の戸当りにおいて、開き扉Ｄを開位置に止めて保持する場合、扉側部材Ｂは、図２４（Ａ）・（Ａ´）に示すように、開き扉Ｄを開方向Ｘに回動し、第２回転位置の向きにあるロックピン３５が床側部材Ａの上り勾配になった傾斜部２１に至ると、図２４（Ｂ）・（Ｂ´）に示すように、先端部３５ａがガイド溝２５を擦り抜けてから、ロック穴２０に至ると、図２４（Ｃ）・（Ｃ´）に示すように、そのまま直進してテーパ部８５の先端が位置決め凹部２０ａを越えて、図２５（Ａ）に示すように回転誘導面５９に突き当たる。すると、ロックピン３５は、テーパ部８５が開き扉Ｄの開閉方向Ｘ・Ｙに勾配になった同じ傾斜面でも、その傾斜角度が回転誘導面５９と異なるから、図２５（Ｂ）および図２６（Ａ）・（Ａ´）に示すように上段の逃げ凹部２０ｂの上で回転してテーパ部８５が回転誘導面５９に当ってから、図１５（Ａ）・（Ｂ）に示すように押し戻され、先端部３５ａの側面ｔがガイド溝２５と対向する第１回転位置に自動的に向きが変わる。すると、ロックピン３５は、先端部３５ａが逃げ凹部２０ｂからは下り勾配の規制斜面２０ｃを下って下段の位置決め凹部２０ａ内に納まり、位置決め凹部２０ａからは上り勾配のＤ形の規制斜面２０ｃに囲まれ、これにより、開き扉Ｄを開位置に止めてガタ付かないように保持される。
【００６７】
なお、第２の実施形態の戸当りにおいて、ロックピン３５は、テーパ部８５の一側の端面ｒ１がロック穴２０の回転誘導面５９に当ったときに、押し戻される反動で入口のガイド溝２５側へ弾むことがあっても、図２６（Ｂ）・（Ｂ´）に示すように、先端部３５ａの端面ｒ１と反対側の端面ｒ２に有する外れ止め凹部６７が、ガイド溝２５の内部開口２５ａに有する角縁６８に係止し、これにより、回転誘導面５９に突き当った弾みでロック穴２０から外れるのを防止する。
【００６８】
次に、第２の実施形態の戸当りでは、図１５（Ａ）・（Ｂ）および図２７（Ａ）・（Ａ´）に示すように、ロックピン３５の先端部３５ａを、ロック穴２０の位置決め凹部２０ａに嵌め込んで開位置に保持した開き扉Ｄを、閉めるために保持状態を解除するときは、図２７（Ｂ）・（Ｂ´）に示すように、操作ボタン５０を、押え板３８ａが固定カム６０のストッパ部６０ｃに当たる下段位置まで押し下げて切換手段５５を始動する。即ち、操作ボタン５０を押し下げると、切換手段５５の上部カム６５が、ガイドリブ４６ｂの係合した固定カム６０の案内溝４１に沿って回転規制状態で下降する一方、下部カム７０が互いに係合した傾斜カム面ｍ・ｎに沿って回転する。すると、ロックピン３５は、ロック穴２０の位置決め凹部２０ａにおいて、先端部３５ａの側面ｔがガイド溝２５側に向いた第１回転位置から、先端部３５ａの端面ｒ２がガイド溝２５と対向する第２回転位置に回転する。
【００６９】
しかる後、開き扉Ｄを閉方向Ｙに回動すれば、第２回転位置にあるロックピン３５の先端部３５ａが、図２７（Ｃ）・（Ｃ´）に示すように床側部材Ａのガイド溝２５を通って擦り抜け、図２７（Ｄ）・（Ｄ´）に示すように、ロックピン３５をロック穴２０から外すことにより、開位置に止めて保持した開き扉Ｄの保持状態が解除される。
【００７０】
上述のように第２の実施形態の戸当りでは、ロック穴２０の逃げ凹部２０ｂには、ロックピン３５の先端部３５の一側の端面ｒ１と対向する側の穴壁に、開き扉Ｄの開閉方向Ｘ・Ｙに勾配になった傾斜面の回転誘導面５９を形成する一方、ロックピン３５は、先端部３５ａの一側の端面ｒ１に回転誘導面５９と傾斜角度の異なるテーパ部６６を設け、そのテーパ部６６が回転誘導面５９に突き当たると、ガイド溝２５の溝幅ｄより幅サイズが大きい先端部３５ａの側面ｔがガイド溝２５と対向する第１回転位置の向きに自動的に回転する構成とし、第１の実施形態のように第２付勢ばね（回転付勢ばね）４５により常時回転付勢してロックピン３５を先端部３５ａがガイド溝２５を通過できない第１回転位置に保持するのではないから、開き扉Ｄを閉めるために開位置に保持した状態を解除するときに、操作ボタン５０を一度だけ押し下げ操作すれば足り、わざわざロックピン３５がばね付勢力により元の第１回転位置に戻らないように操作ボタン５０をそのまま押し続けなくてもよく、その点において、より操作性を上げることができる。
【００７１】
第２の実施形態の戸当りにおいて、そのように開き扉Ｄを閉めるために、ロックピン３５で開位置に保持した状態を解除した後は、通常、互いに係合した切換手段５５の上部カム６５と下部カム７０の傾斜カム面ｍ・ｎの摩擦抵抗により、そのまま先端部３５ａがガイド溝２５を通過する第２回転位置の向きに保持される。
【００７２】
また、通常、開き扉Ｄを閉めた後に、再び開けた開位置に止めて保持するときも、その都度、ロックピン３５は、先端部３５ａがガイド溝２５を擦り抜けて第２回転位置に向いているから、図２４（Ａ）・（Ａ´）に示すように、そのまま開き扉Ｄを開方向Ｘに回動すれば、図２４（Ｂ）・（Ｂ´）に示すように、先端部３５ａがガイド溝２５を通過し、図２４（Ｃ）・（Ｃ´）に示すようにロック穴２０の逃げ凹部２０ａに嵌り込んでから、位置決め凹部２０ａに納まってロック状態で保持される。
【００７３】
ところが、そのように開き扉Ｄを閉めた後に再び開けて開位置に保持するときに、ロックピン３５が、床側部材Ａのガイド溝２５に至るまでに、先端部３５ａに掃除機等が衝突するなど、外力を受けて摩擦に抗してズレ動き、図２８（Ａ）・（Ａ´）に示すように、先端部３５ａがガイド溝２５を通過できない横向きの状態で、ロックピン３５が床側部材Ａの上り勾配になった傾斜部２１に至ることがある。しかし、第２の実施形態の戸当りは、ロックピン３５が、そのように先端部３５ａがガイド溝２５を通過できない横向きの状態にあっても、そのまま開き扉Ｄを押し開くと、図２８（Ｂ）・（Ｂ´）に示すように、ロックピン３５が付勢ばね５８に抗して押し上がり、ガイド溝２５を跨いで傾斜部２１を上昇し、図２８（Ｃ）・（Ｃ´）に示すように登り切ってロック穴２０に至ると、ロックピン３５は、先端部３５ａが付勢ばね５８の弾発力により、図２８（Ｄ）・（Ｄ´）に示すようにロック穴２０に落ち込み、下り勾配の規制斜面２０ｃを下って第１回転位置のまま位置決め凹部２０ｂ内に納まりロック状態で保持される。
【００７４】
ところで、以上の実施形態において、切換手段５５は、操作ボタン５０を押し下げ操作してロックピン３５の向きを第１回転位置から第２回転位置に切り換えたが、本発明では、押し下げ操作による場合に限らず、例えば操作部材を回転操作してロックピンを第１回転位置から第２回転位置に切り換える構成にすることもできる。
【符号の説明】
【００７５】
Ａ              床側部材
Ｂ              扉側部材
Ｄ              開き扉
Ｆ              床
ｍ・ｎ          傾斜カム面
ｒ（ｒ１・ｒ２）ロックピン先端部の端面
ｔ              側面
２０            ロック穴
２０ａ          位置決め凹部
２０ｂ          逃げ凹部
２０ｃ          規制斜面
２５            ガイド溝
３０            ガイドケース
３５            ロックピン
３５ａ          先端部
４０            第１付勢ばね
４５            第２付勢ばね（回動付勢ばね）
５０            操作ボタン（操作部材）
５５            切換手段
５８            付勢ばね
５９            回転誘導面
６０            固定カム
６５            上部カム
７０            下部カム
８５            テーパ部
【図１】
2014074325.tif 000003
【図２】
2014074325.tif 000004
【図３】
2014074325.tif 000005
【図４】
2014074325.tif 000006
【図５】
2014074325.tif 000007
【図６】
2014074325.tif 000008
【図７】
2014074325.tif 000009
【図８】
2014074325.tif 000010
【図９】
2014074325.tif 000011
【図１０】
2014074325.tif 000012
【図１１】
2014074325.tif 000013
【図１２】
2014074325.tif 000014
【図１３】
2014074325.tif 000015
【図１４】
2014074325.tif 000016
【図１５】
2014074325.tif 000017
【図１６】
2014074325.tif 000018
【図１７】
2014074325.tif 000019
【図１８】
2014074325.tif 000020
【図１９】
2014074325.tif 000021
【図２０】
2014074325.tif 000022
【図２１】
2014074325.tif 000023
【図２２】
2014074325.tif 000024
【図２３】
2014074325.tif 000025
【図２４】
2014074325.tif 000026
【図２５】
2014074325.tif 000027
【図２６】
2014074325.tif 000028
【図２７】
2014074325.tif 000029
【図２８】
2014074325.tif 000030
【図２９】
2014074325.tif 000031
【図３０】
2014074325.tif 000032